(57)【特許請求の範囲】
【請求項１】
外部交流電源（１００）が接続される第１電源線（１０１）及び第２電源線（１０２）と、
前記第１電源線に接続される第１端と、第２端とを有する抵抗素子（８）と、
前記抵抗素子の前記第２端に接続された第１入力端と、前記第２電源線に接続された第２入力端と、第１出力端（１１）及び第２出力端（１０３）とを有する第１整流回路（１）と、
前記第１整流回路の前記第１出力端と前記第１整流回路の前記第２出力端との間に接続された第１容量素子（３）と、
前記抵抗素子の前記第１端に接続された入力端と、前記第２電源線に接続された第２入力端と、出力端（２１）とを有する第２整流回路（２）と、
前記第２整流回路の前記出力端と前記第１整流回路の前記第２出力端との間に接続され、前記第１容量素子よりも容量値の低い第２容量素子（４）と、
前記第２整流回路の前記出力端に接続された入力端と、出力端（１２）と、前記第１整流回路の前記第２出力端に接続された入出力共通端（Ｎ）とを有する電源回路（６）と、
前記電源回路の前記出力端と前記入出力共通端との間から動作電源が供給され、第１の制御信号（１４）を出力する制御回路（７）と、
前記抵抗素子と並列に接続され、前記第１の制御信号によって前記制御回路の動作開始後から所定期間経過後に導通し、前記制御回路の動作停止によって非導通するスイッチ（９）と
を備える電源装置。
【請求項２】
前記第１整流回路（１）は、
前記第１整流回路の前記第１入力端に接続されたアノードと、前記第１整流回路の前記第１出力端（１１）に接続されたカソードとを有する第１ダイオード（１ａ）と、
前記第１整流回路の前記第２入力端に接続されたカソードと、前記第１整流回路の前記第２出力端に接続されたアノードとを有する第２ダイオード（１ｄ）とを有する、請求項１記載の電源装置。
【請求項３】
前記第２整流回路（２）は、
前記第２整流回路の第１入力端に接続されたアノードと、前記第２整流回路の出力端（２１）に接続されたカソードとを有する第１ダイオード（２ａ）
を有する、請求項２記載の電源装置。
【請求項４】
前記第２整流回路（２）は、
前記第２整流回路の前記第２入力端と前記第２整流回路の前記第１ダイオード（２ａ）の前記アノードとの間に直列に介挿される抵抗素子（８１）
を更に備える、請求項３記載の電源装置。
【請求項５】
前記第１整流回路（１）は、
前記第１整流回路の前記第２入力端に接続されたアノードと、前記第１整流回路の前記第１出力端に接続されたカソードとを有する第３のダイオード（１ｂ）と、
前記第１整流回路の前記第１入力端に接続されたカソードと、前記第１整流回路の前記第２出力端（１０３）に接続されたアノードとを有する第４のダイオード（１ｃ）と
を更に有する、請求項２乃至請求項４のいずれか一つに記載の電源装置。
【請求項６】
前記第２整流回路（２）は、
前記第２整流回路の第２入力端に接続されたアノードと、前記第２整流回路の出力端（２１）に接続されたカソードとを有する第２ダイオード（２ｂ）
を更に有する、請求項５記載の電源装置。
【請求項７】
前記制御回路（７）は、前記第１容量素子と並列に接続される負荷（１０，２００）を制御する第２の制御信号（１３）を更に出力する、請求項１乃至請求項６のいずれか一つに記載の電源装置。
【請求項８】
前記電源回路には降圧チョッパが採用される、請求項１乃至請求項７のいずれか一つに記載の電源装置。
【請求項９】
前記スイッチは、自身が動作しない場合において開放する接点を有するリレーによって実現される、請求項１乃至請求項８のいずれか一つに記載の電源装置。
【発明の詳細な説明】
【０００１】
【発明の属する技術分野】
この発明は外部交流電源に基づいて電源を供給する電源装置に関し、特に突入電流を防止する機構を備えた電源装置に関する。
【０００２】
【従来の技術】
図５は第１の従来技術の構成を示す回路図である。ダイオードブリッジ１の一対の入力端には外部交流電源１００が接続され、一対の出力端の間には平滑用容量素子３が接続されている。そして平滑用容量素子３の両端の電圧が主回路電源として外部の負荷へと供給される。例えば負荷としては三相モータ２００を駆動する三相インバータ１０が例示されている。
【０００３】
インバータ１０は制御回路７によってその動作が制御される。例えば三相インバータ１０は各相に高電位側と低電位側にそれぞれトランジスタを有しており、総計６個のトランジスタの動作が、制御回路７からの６個の信号群である制御信号１３によって制御される。
【０００４】
絶縁式電源回路３０及びその一対の入力端の間に接続された平滑用容量素子５の両端の電圧は、制御回路７の動作電源たる制御電源として機能する。但し、平滑用容量素子３，５の低電位側の端は、共通して接地されている。そして絶縁式電源回路３０の一対の入力端は、自身の一対の出力端とは絶縁されていずれも接地とは絶縁されており、従って平滑用容量素子４の低電位側の端も接地とは絶縁されている。
【０００５】
ダイオードブリッジ４０の一対の入力端には外部交流電源１００が接続され、一対の出力端の間には平滑用容量素子４が接続されている。そして平滑用容量素子４の両端が絶縁式電源回路３０の一対の入力端に接続されている。
【０００６】
外部交流電源１００の投入時において平滑用容量素子３への突入電流、即ち平滑用容量素子３の充電の初期において過渡的に大きく流れる電流の発生を抑止するため、ダイオードブリッジ１の一方の入力端と外部交流電源１００との間には抵抗素子８が設けられている。
【０００７】
制御回路７の動作電源を得るために、ダイオードブリッジ４０、平滑用容量素子４，５を設けているので、制御回路７の動作電源（制御電源）は負荷へと供給される主回路電源とは独立して得ることができる。そして制御電源が確立して制御回路７の動作が開始してから所定期間（いわゆる「限流期間」）経過後には、制御回路７からの制御信号１４に基づいて導通するスイッチ９によって抵抗素子８の両端が短絡する。
【０００８】
抵抗素子８の両端の短絡は、限流期間を適切に設定することにより、平滑用容量素子３の充電がほぼ完了した後に実行することができる。これにより、突入電流の虞のない、定常的な動作時において抵抗素子８での無駄な消費電力を回避することができる。
【０００９】
【発明が解決しようとする課題】
しかしながら、一般に用いられる絶縁式電源回路３０ではその内部に変圧器を備えることになる。従って絶縁式電源回路３０を採用する電源装置のコストは高く、配置に要求される領域も大きくなる傾向にある。
【００１０】
図６は第２の従来技術の構成を示す回路図である。図５に示された構成とは制御電源を得るための構成が異なっている。即ちダイオードブリッジ４０、平滑用容量素子４、絶縁式電源回路３０を省略し、非絶縁式電源回路６を採用している。非絶縁式電源回路６は例えば降圧チョッパで構成され、図中「＋」で示された入力端と、入出力共通端Ｎと、出力端１２とを有している。
【００１１】
非絶縁式電源回路６の入力端及び入出力共通端Ｎはそれぞれ平滑用容量３の高電圧側の端及び低電圧側の端に接続されている。また出力端１２と入出力共通端Ｎとの間には平滑用容量素子５が接続されており、図５に示された電源装置と同様、平滑用容量素子５の両端の電圧が制御回路７の動作電源たる制御電源として機能する。
【００１２】
しかしながら、非絶縁式電源回路６は、その入力端と入出力共通端との間に主回路電源が供給されている。主回路電源は比較的に大容量に設定される平滑用容量素子３によって供給されるので、外部交流電源１００が停電しても非絶縁式電源回路６の動作は速やかには停止せず、従って制御回路７の動作も速やかには停止しない。そのため以下に述べるように外部交流電源１００が停電から速やかに復帰する、いわゆる瞬停と呼ばれる現象が生じた場合、突入電流の発生する可能性がある。
【００１３】
図７は瞬停によって突入電流が発生する状態を示すタイミングチャートである。同図（ａ）は外部交流電源１００の電圧を包絡線で示し、同図（ｂ），（ｃ）はそれぞれ主回路電源及び制御電源の電圧を示し、同図（ｄ），（ｅ）はそれぞれ制御回路７及びスイッチ９の動作を示している。
【００１４】
時刻ｔ0において外部交流電源１００が投入されると、抵抗素子８を経由して平滑用容量素子３が充電され、主回路電源の電圧は比較的緩やかに上昇する。そして主回路電源の電圧が時刻ｔ1（＞ｔ0）において所定のしきい値電圧ＶTH1に達すると、非絶縁式電源回路６のチョッパ動作により、制御電源の電圧が上昇し始める。更に制御電源の電圧が時刻ｔ2（＞ｔ1）において所定のしきい値電圧ＶTH2に達すると、制御回路７の動作電源が確立され、それまで停止していた制御回路７の動作が開始する。時刻ｔ2から限流時間τが経過した後の時刻ｔ3において、制御信号１４によってスイッチ９が導通する。これにより抵抗素子８の両端が短絡されるので、主回路電源の電圧は比較的急速に上昇する。
【００１５】
主回路電源の電圧が安定した後、時刻ｔ4（＞ｔ3）において外部交流電源１００が停電し、その後速やかに時刻ｔ5において復帰した場合を考える。平滑用容量素子３は比較的大容量であるので、外部交流電源１００の停電によって平滑用容量素子３が放電しても、時刻ｔ5に至るまでにしきい値電圧ＶTH1よりも低下しない場合がある。この場合、非絶縁式電源回路６の動作は継続しており、よって制御回路７の動作も継続している。既に時刻ｔ3を経過しているのでスイッチ９は時刻ｔ5においてもＯＮしたままである。従って時刻ｔ5において突入電流が発生する可能性がある。
【００１６】
本発明は上記の事情に鑑みてなされたものであり、電源装置のコストを高くしたり配置に要求される領域を大きくすることなく、しかも突入電流の可能性を小さくする電源装置を提供することを目的としている。
【００１７】
【課題を解決するための手段】
この発明のうち請求項１にかかるものは電源装置であって、外部交流電源（１００）が接続される第１電源線（１０１）及び第２電源線（１０２）と、前記第１電源線に接続される第１端と、第２端とを有する抵抗素子（８）と、前記抵抗素子の前記第２端に接続された第１入力端と、前記第２電源線に接続された第２入力端と、第１出力端（１１）及び第２出力端（１０３）とを有する第１整流回路（１）と、前記第１整流回路の前記第１出力端と前記第１整流回路の前記第２出力端との間に接続された第１容量素子（３）と、前記抵抗素子の前記第１端に接続された入力端と、前記第２電源線に接続された第２入力端と、出力端（２１）とを有する第２整流回路（２）と、前記第２整流回路の前記出力端と前記第１整流回路の前記第２出力端との間に接続され、前記第１容量素子よりも容量値の低い第２容量素子（４）と、前記第２整流回路の前記出力端に接続された入力端と、出力端（１２）と、前記第１整流回路の前記第２出力端に接続された入出力共通端（Ｎ）とを有する電源回路（６）と、前記電源回路の前記出力端と前記入出力共通端との間から動作電源が供給され、第１の制御信号（１４）を出力する制御回路（７）と、前記抵抗素子と並列に接続され、前記第１の制御信号によって前記制御回路の動作開始後から所定期間経過後に導通し、前記制御回路の動作停止によって非導通するスイッチ（９）とを備える。
【００１８】
この発明のうち請求項２にかかるものは、請求項１記載の電源装置であって、前記第１整流回路（１）は、前記第１整流回路の前記第１入力端に接続されたアノードと、前記第１整流回路の前記第１出力端（１１）に接続されたカソードとを有する第１ダイオード（１ａ）と、前記第１整流回路の前記第２入力端に接続されたカソードと、前記第１整流回路の前記第２出力端に接続されたアノードとを有する第２ダイオード（１ｄ）とを有する。
【００１９】
この発明のうち請求項３にかかるものは、請求項２記載の電源装置であって、前記第２整流回路（２）は、前記第２整流回路の第１入力端に接続されたアノードと、前記第２整流回路の出力端（２１）に接続されたカソードとを有する第１ダイオード（２ａ）を有する。
【００２０】
この発明のうち請求項４にかかるものは、請求項３記載の電源装置であって、前記第２整流回路（２）は、前記第２整流回路の前記第２入力端と前記第２整流回路の前記第１ダイオード（２ａ）の前記アノードとの間に直列に介挿される抵抗素子（８１）を更に備える。
【００２１】
この発明のうち請求項５にかかるものは、請求項２乃至請求項４のいずれか一つに記載の電源装置であって、前記第１整流回路（１）は、前記第１整流回路の前記第２入力端に接続されたアノードと、前記第１整流回路の前記第１出力端に接続されたカソードとを有する第３のダイオード（１ｂ）と、前記第１整流回路の前記第１入力端に接続されたカソードと、前記第１整流回路の前記第２出力端（１０３）に接続されたアノードとを有する第４のダイオード（１ｃ）とを更に有する。
【００２２】
この発明のうち請求項６にかかるものは、請求項５記載の電源装置であって、前記第２整流回路（２）は、前記第２整流回路の第２入力端に接続されたアノードと、前記第２整流回路の出力端（２１）に接続されたカソードとを有する第２ダイオード（２ｂ）を更に有する。
【００２３】
この発明のうち請求項７にかかるものは、請求項１乃至請求項６のいずれか一つに記載の電源装置であって、前記制御回路（７）は、前記第１容量素子と並列に接続される負荷（１０，２００）を制御する第２の制御信号（１３）を更に出力する。
【００２４】
この発明のうち請求項８にかかるものは、請求項１乃至請求項７のいずれか一つに記載の電源装置であって、前記電源回路には降圧チョッパが採用される。
【００２５】
例えば前記スイッチは、自身が動作しない場合において開放する接点を有するリレーによって実現される。
【００２６】
【発明の実施の形態】
図１は本発明の一実施の形態にかかる電源装置の構成及びその外部との接続関係を示す回路図である。
【００２７】
当該電源装置は、外部交流電源１００に接続される電源線１０１，１０２を有している。これら一対の電源線が当該電源装置の入力端として機能する。
【００２８】
電源線１０１には抵抗素子８の一端が接続されている。そして抵抗素子８の他端と電源線１０２とに、全波整流回路１の一対の入力端が接続されている。具体的には全波整流回路１はダイオード１ａ，１ｂ，１ｃ，１ｄを有していて、抵抗素子８の他端にはダイオード１ａのアノードとダイオード１ｃのカソードとが共通に接続されている。また電源線１０２にはダイオード１ｂのアノードと、ダイオード１ｄのカソードとが共通に接続されている。つまり、全波整流回路１の一対の入力端の一方は抵抗素子８を介して電源線１０１に、他方は電源線１０２に、それぞれ接続されていることになる。なお、抵抗素子８には並列にスイッチ９が接続されている。
【００２９】
全波整流回路１の出力端は一対存在し、その一方である出力端１１に与えられる電位は、接地された他方に対して高電位となり、主回路電源の電圧として機能する。具体的には出力端１１にはダイオード１ａのカソードとダイオード１ｂのカソードとが共通に接続されている。またダイオード１ｃのアノードとダイオード１ｄのアノードとは共通に接続され、いずれも接続点１０３において接地される。
【００３０】
出力端１１と接続点１０３の間には平滑用容量素子３が接続され、その両端には外部負荷として三相インバータ１０及び三相モータ２００が接続されている。三相インバータ１０は例えば各相に高電位側と低電位側にそれぞれトランジスタを有しており、総計６個のトランジスタのスイッチング動作により、モータ２００に対して主回路電源の電圧が印加されるか否かが設定される。
【００３１】
一方、電源線１０１，１０２には抵抗素子８を介さずに整流回路２が接続されている。整流回路２はダイオード２ａ，２ｂを有しており、ダイオード２ａ，２ｂのアノードが、それぞれ電源線１０１，１０２に接続されている。つまりダイオード２ａ，２ｂのアノードが整流回路２の一対の入力端として機能する。ダイオード２ａ，２ｂのカソードは共通して、整流回路２の出力端２１に接続される。
【００３２】
整流回路２の出力端２１と接続点１０３との間には平滑用容量４が接続される。但し、平滑用容量３，４の容量値をそれぞれＣ１，Ｃ２としてＣ１＞Ｃ２の関係がある。
【００３３】
電源線１０１が電源線１０２よりも高電位の場合、全波整流回路１のダイオード１ａ，１ｄを介して、全波整流回路１の出力端１１側が高電位となるように平滑用容量素子３が充電される。一方、電源線１０２が電源線１０１よりも高電位の場合、全波整流回路１のダイオード１ｂ，１ｃを介して、全波整流回路１の出力端１１側が高電位となるように平滑用容量素子３が充電される。
【００３４】
電源線１０１が電源線１０２よりも高電位の場合、整流回路２のダイオード２ａと、全波整流回路１のダイオード１ｄとを介して、整流回路２の出力端２１側が高電位となるように平滑用容量素子４が充電される。一方、電源線１０２が電源線１０１よりも高電位の場合、整流回路２のダイオード２ｂと、全波整流回路１のダイオード１ｃとを介して、整流回路２の出力端２１側が高電位となるように平滑用容量素子４が充電される。
【００３５】
この発明では電源装置のコストを高くしたり配置に要求される領域を大きくすることが無いように、非絶縁式電源回路６が採用される。非絶縁式電源回路６は図中「＋」で示された入力端と、入出力共通端Ｎと、出力端１２とを有している。入出力共通端Ｎは非絶縁式電源回路６の入力端としても、出力端としても機能する。即ち、入出力共通端Ｎは入力端と共に一対の入力端として機能し、かつ入出力共通端Ｎは出力端１２と共に一対の入力端として機能する。
【００３６】
そして非絶縁式電源回路６の入力端と入出力共通端Ｎとは、それぞれ整流回路２の出力端２１及び接続点１０３に接続される。また非絶縁式電源回路６の出力端１２と入出力共通端Ｎとの間には平滑用容量５が接続される。出力端１２に与えられる電位は、接地に対して高電位となり、後述する制御回路の動作電源として扱われる制御電源の電圧として機能する。従って、接続点１０３を介して、平滑用容量３，４，５の低電圧側の端が接地されることになる。
【００３７】
制御回路７は上記の制御電源によって動作電源が供給され、制御信号１３，１４を出力する。制御信号１３は三相インバータ１０の６個のトランジスタの動作を制御するための６個の信号群からなる。一方、制御信号１４はスイッチ９の開閉動作を制御する。
【００３８】
スイッチ９は制御信号１４によって制御回路７の動作開始後から限流期間τ経過後に導通し、制御回路７の動作停止によって非導通となる。スイッチ９は、例えば自身が動作しない場合において開放する接点を有するリレーによって実現される。制御信号１４が活性化することによって当該接点が導通する。
【００３９】
全波整流回路１の一方の入力端は電源線１０１に対して抵抗素子８を介して接続されており、制御回路７の動作が開始する前にはスイッチ９は非導通である。従って外部交流電源１００の投入によって全波整流回路１の出力端１１と接続点１０３との間に接続された平滑用容量素子３が充電される際、抵抗素子８によって当該充電に起因する突入電流を低減することができる。
【００４０】
その一方、整流回路２の一方の入力端であるダイオード２ａのアノードは、電源線１０１に対して抵抗素子８を介さずに接続されている。従って、整流回路２の出力端２１と接続点１０３との間に接続された平滑用容量素子４は、外部交流電源１００の投入によって急速に充電される。これにより制御回路７は動作を開始し、制御信号１４によってスイッチ９が抵抗素子８の両端を短絡し、突入電流の危惧が無くなった期間での抵抗素子８における余分な電力消費を回避する。
【００４１】
ここで平滑用容量素子３の容量値Ｃ１よりも平滑用容量素子４の容量値Ｃ２の方が小さいので、平滑用容量素子４への突入電流は小さい。また全波整流回路１の接続点１０３と非絶縁式電源回路６の入出力共通端Ｎとが接続されており、トランスが不要であり、非絶縁式電源回路６を小型化、低コスト化することができる。
【００４２】
また外部交流電源１００が停電した場合、平滑用容量素子３の放電は迅速であり、よって制御回路７の動作が速やかに停止する。これにより、外部交流電源１００に瞬停が生じた場合にも、復帰時にはスイッチ９が非導通となり易く、突入電流の発生する可能性が小さくなる。図２を用いて以下にこの効果を詳細に説明する。
【００４３】
図２は瞬停が生じた場合の種々の電圧、動作を示すタイミングチャートであり、従来の技術の図７に対応している。同図（ａ）は外部交流電源１００の電圧を包絡線で示し、同図（ｂ），（ｃ）はそれぞれ主回路電源及び制御電源の電圧を示し、同図（ｄ），（ｅ）はそれぞれ制御回路７及びスイッチ９の動作を示している。
【００４４】
時刻ｔ0〜ｔ3の動作は図７で示された動作と同様である。しかし主回路電源の電圧が安定した後、時刻ｔ4（＞ｔ3）において外部交流電源１００が停電し、その後速やかに時刻ｔ5において復帰した場合には、様相が異なる。
【００４５】
平滑用容量素子３は比較的大容量であるので、外部交流電源１００の停電によって平滑用容量素子３が放電しても、時刻ｔ5に至るまでにしきい値電圧ＶTH1よりも低下しない場合がある。しかしながら、本発明では非絶縁式電源回路６の一対の入力端は、比較的小容量の平滑用容量素子４の両端に接続されているため、制御電源の電圧は速やかに下降する。よって従来の技術と比較して、時刻ｔ41（＞ｔ4）においてしきい値電圧ＶTH2よりも低下し、制御回路７の動作が停止する可能性が高い。従ってスイッチ９が時刻ｔ41において非導通となる可能性も高い。
【００４６】
従って時刻ｔ5（＞ｔ41）において外部交流電源１００が復帰した場合には抵抗素子８の両端は短絡されておらず、従来の技術と比較して突入電流が発生する可能性は低い。外部交流電源１００の復帰により制御電源の電圧も上昇し、時刻ｔ51（＞ｔ5）でしきい値電圧ＶTH2に到達することにより、制御回路７の動作も開始する。そして時刻ｔ51から限流期間τ経過後の時刻ｔ52において、再び制御信号１４によってスイッチ９が導通する。
【００４７】
本実施の形態において制御回路７は外部負荷たる三相インバータ１０の制御をも行っているが、これは本発明において必須ではない。しかしながら、本発明では例えば時刻ｔ2以降では、主回路電源の電圧が負荷の動作に充分な大きさに達していない状態でも、制御電源の電圧は制御回路７の動作電源が確立するに充分な大きさに達する。よって外部負荷の制御を制御回路７で行うことにより、主回路電源の電圧が負荷の動作に充分な大きさに達していない状態で、外部負荷の誤作動を回避する制御が行われる。制御回路７は例えばマイクロコンピュータで構成され、制御電源の電圧は数Ｖ〜十数Ｖのオーダーである。一方、主回路電源の電圧は外部負荷にも依存するが、数百Ｖのオーダーである。
【００４８】
図３は非絶縁式電源回路６の構成を例示する回路図である。非絶縁式電源回路６は例えば降圧チョッパで構成することができる。即ち、非絶縁式電源回路６はトランジスタＱ、ダイオードＤ、コイルＬを有している。そしてトランジスタＱのコレクタは非絶縁式電源回路６の入力端に接続され、エミッタはダイオードＤのカソードとコイルＬの一端に共通に接続される。またダイオードＤのアノードは入出力共通端Ｎに、コイルＬの他端は出力１２に、それぞれ接続される。トランジスタＱのベースは図示されない制御回路に接続され、当該制御回路によってトランジスタＱのスイッチング動作が制御される。かかる降圧チョッパにより、平滑用容量素子４の両端の電圧から制御回路７の動作電源に適切な電圧へと降圧することができる。
【００４９】
なお、整流回路２において半波整流を行う場合にはダイオード２ａ，２ｂのいずれか一方を省略することもできる。
【００５０】
図４は本発明の変形を示す、整流回路２の回路図である。ダイオード２ａのアノードと電源線１０１との間に限流抵抗８１が設けられている。これにより、平滑用容量素子４の充電電流を急峻にすることがない。
【００５１】
【発明の効果】
この発明のうち請求項１にかかる電源装置によれば、第１整流回路（１）の第１入力端は第１電源線（１０１）に対して抵抗素子（８）を介して接続されており、制御回路（７）の動作が開始する前にはスイッチ（９）は非導通である。従って外部交流電源（１００）の投入によって第１整流回路の第１出力端（１１）と第１整流回路の第２出力端（１０３）との間に接続された第１容量素子（３）が充電される際、抵抗素子によって当該充電に起因する突入電流を低減することができる。
【００５２】
その一方、第２整流回路（２）の第１入力端は第１電源線（１０１）に対して抵抗素子（８）を介さずに接続されている。従って、第２整流回路の出力端（２１）と第１整流回路の第２出力端との間に接続された第２容量素子（４）は、外部交流電源（１００）の投入によって急速に充電される。これにより制御回路（７）は動作を開始し、第１の制御信号（１４）によってスイッチ（９）が抵抗素子の両端を短絡し、突入電流の危惧が無くなった期間での抵抗素子における余分な電力消費を回避する。
【００５３】
しかも第１容量素子（３）よりも第２容量素子（４）の方が容量値が小さいので、第２容量素子への突入電流は小さい。また第１整流回路の第２出力端と電源回路（６）の入出力共通端とが接続されているので、電源回路として非絶縁式のものを採用でき、よって電源回路を小型化、低コスト化することができる。
【００５４】
また第１容量素子（３）よりも第２容量素子（４）の方が容量値が小さいので、外部交流電源（１００）が停電した場合、第２容量素子（４）の放電は迅速であり、よって制御回路（７）の動作が速やかに停止する。これにより、外部交流電源（１００）が停電から速やかに復帰する、いわゆる瞬停と呼ばれる現象が生じた場合にも、復帰時にはスイッチが非導通となり易く、突入電流の発生する可能性が小さくなる。
【００５５】
この発明のうち請求項２にかかる電源装置によれば、第１電源線（１０１）が第２電源線（１０２）よりも高電位の場合、第１整流回路（１）の第１ダイオード（１ａ）と、第１整流回路（１）の第２ダイオード（１ｄ）とを介して、第１整流回路（１）の第１出力端（１１）側が高電位となるように第１容量素子（３）が充電される。
【００５６】
この発明のうち請求項３にかかる電源装置によれば、第１電源線（１０１）が第２電源線（１０２）よりも高電位の場合、第２整流回路（２）の第１ダイオード（２ａ）と、第１整流回路（１）の第２ダイオード（１ｄ）を介して、第２整流回路（２）の出力端（２１）側が高電位となるように第２容量素子（４）が充電される。
【００５７】
この発明のうち請求項４にかかる電源装置によれば、第２容量素子（４）の充電電流を急峻にすることがない。
【００５８】
この発明のうち請求項５にかかる電源装置によれば、第２電源線（１０２）が第１電源線（１０１）よりも高電位の場合、第１整流回路（１）の第３ダイオード（１ｂ）と、第１整流回路（１）の第４ダイオード（１ｃ）とを介して、第１整流回路（１）の第１出力端（１１）側が高電位となるように第１容量素子（３）が充電される。
【００５９】
この発明のうち請求項６にかかる電源装置によれば、第２電源線（１０２）が第１電源線（１０１）よりも高電位の場合、第２整流回路（２）の第２ダイオード（２ｂ）と、第１整流回路（１）の第４ダイオード（１ｃ）を介して、第２整流回路（２）の出力端（２１）側が高電位となるように第２容量素子（４）が充電される。
【００６０】
この発明のうち請求項７にかかる電源装置によれば、第１整流回路（１）の第１出力端（１１）と第２出力端（１０３）との間に充分な電圧が印加されていない状態でも、第２容量素子（４）の充電によって電源回路（６）から充分な動作電源が得られる。よって制御回路（７）は、第１整流回路（１）の第１出力端（１１）と第２出力端（１０３）との間に充分な電圧が印加されていない状態での負荷の誤作動を回避する制御を行うことができる。
【００６１】
この発明のうち請求項８にかかる電源装置によれば、第２容量素子（４）の両端の電圧から制御回路（７）の動作電源に適切な電圧へと降圧する。
【図面の簡単な説明】
【図１】本発明の一実施の形態にかかる電源装置の構成及びその外部との接続関係を示す回路図である。
【図２】瞬停が生じた場合の種々の電圧、動作を示すタイミングチャートである。
【図３】本発明に採用される非絶縁式電源回路の構成を例示する回路図である。
【図４】本発明の変形を示す回路図である。
【図５】第１の従来技術の構成を示す回路図である。
【図６】第２の従来技術の構成を示す回路図である。
【図７】瞬停によって突入電流が発生する状態を示すタイミングチャートである。
【符号の説明】
１  全波整流回路
２  整流回路
１ａ，１ｂ，１ｃ，１ｄ，２ａ，２ｂ  ダイオード
３，４  平滑用容量素子
６  非絶縁式電源回路
７  制御回路
８  抵抗素子
９  スイッチ
１０  三相インバータ
１１，１２，２１  出力端
１３，１４  制御信号
１００  外部交流電源
１０１，１０２  電源線
２００  三相モータ
【図１】
0003680147.tif 000002
【図２】
0003680147.tif 000003
【図３】
0003680147.tif 000004
【図４】
0003680147.tif 000005
【図５】
0003680147.tif 000006
【図６】
0003680147.tif 000007
【図７】
0003680147.tif 000008